【事件の表示】
　特許第３３０４９２３号「電気湯沸かし器」の請求項１ないし３に係る特許に対する特許異議の申立てについて、次のとおり決定する。
【結　論】
　訂正を認める。
　特許第３３０４９２３号の請求項１ないし３に係る特許を維持する。
【理　由】
１．訂正の適否
１−１　訂正の内容
・訂正事項ａ
（１）特許請求の範囲の請求項１の「縦長の穴部と、」の後に、「前記穴部の外周に設けられ前記外郭の表面から一段凹状とした段部と、」を挿入する。
（２）特許請求の範囲の請求項１の「嵌着する透明な」の「る」と「透」の間に、「光学的に凸レンズ形状とした」を挿入するとともに、「前記窓部は光学的に凸レンズ形状とし、」を削除する。
（３）特許請求の範囲の請求項１の「前記穴部に前記窓部を」の前に、「前記段部の下部に形成した下嵌合穴と前記窓部の下部に伸設した下突部を嵌合するとともに前記穴部の上部に設けた上係合部に前記窓部の上部に伸設した上係合爪を係止して」を挿入する。
（４）特許請求の範囲の請求項１の「上部と下部とで嵌着して」の「着」と「し」の間に、「し、かつ前記窓部の略外周において前記窓部と前記段部とを水密的に接着」を挿入する。
　
・訂正事項ｂ
（１）特許請求の範囲の請求項２の「穴部の上部に」の前に、「上方を開口した有底状容器と、前記容器内の液体を加熱する加熱手段と、前記容器底部または底部近傍に一端を開口し他端を透明な送水管に連通した送水装置と、前記容器と送水装置と送水管とを内蔵する外郭と、前記外郭の前記送水管に対峙する位置に設けた縦長の穴部と、前記穴部の外周に設けられ前記外郭の表面から一段凹状とした段部と、前記穴部に嵌着する光学的に凸レンズ形状とした透明な窓部とを有し、前記」を挿入する。
（２）特許請求の範囲の請求項２の「各々に窓部に設けた」の「に」と「窓」の間に、「前記」を挿入する。
（３）特許請求の範囲の請求項２の「嵌着」を、「係止して前記穴部に前記窓部を上部と下部とで嵌着するとともに、前記窓部の略外周において前記窓部と前記段部とを水密的に接着」と訂正する。
（４）特許請求の範囲の請求項２の「請求項１記載の」を削除する。
　
・訂正事項ｃ
（１）特許請求の範囲の請求項３の「上方を開口した有底状容器と、前記容器内の液体を加熱する加熱手段と、前記容器底部または底部近傍に一端を開口し他端を透明な送水管に連通した送水装置と、前記容器と送水装置と送水管とを内蔵する外郭と、前記外郭の送水管に対峙する位置に設けた穴部と、前記穴部に嵌着する透明な窓部とを有し、前記窓部」を削除するとともに、「し、前記窓部は上部と下部とで前記外郭に固定される」を、「された窓部を、外郭に固定させる構成とした請求項１又は２に記載の」と、訂正する。
　
・訂正事項ｄ
（１）明細書中段落番号【０００８】、及び段落番号【０００９】における、「前記穴部に嵌着する透明な窓部とを有し、前記窓部は光学的に凸レンズ形状とし、前記穴部に前記窓部を上部と下部とで嵌着」を、「前記穴部の外周に設けられ前記外郭の表面から一段凹状とした段部と、前記穴部に嵌着する光学的に凸レンズ形状とした透明な窓部とを有し、前記段部の下部に形成した下嵌合穴と前記窓部の下部に伸設した下突部を嵌合するとともに前記穴部の上部に設けた上係合部に前記窓部の上部に伸設した上係合爪を係止して前記穴部に前記窓部を上部と下部とで嵌着し、かつ前記窓部の略外周において前記窓部と前記段部とを水密的に接着」と、訂正する。
（２）明細書中段落番号【０００８】、及び段落番号【００４２】の「により、水位」の「、」と「水」の間に、並びに、段落番号【０００９】の「あり、外郭」の「、」と「外」の間に、「窓部と外郭との水密的性を確保するとともに、」を挿入する。
（３）明細書中段落番号【００１０】の「嵌着して構成したものであり」を、「係止して前記穴部に前記窓部を上部と下部とで嵌着するとともに、前記窓部の略外周において前記窓部と前記段部とを水密的に接着して構成したものであり、窓部と外郭との水密性を確保するとともに」と、訂正する。
（４）明細書中段落番号【００１１】における、「上方を開口した有底状容器と、前記容器内の液体を加熱する加熱手段と、前記容器底部または底部近傍に一端を開口し他端を透明な送水管に連通した送水装置と、前記容器と送水装置と送水管とを内蔵する外郭と、前記外郭の送水管に対峙する位置に設けた穴部と、前記穴部に嵌着する透明な窓部とを有し、前記窓部」を、「特に、」と、訂正するとともに、同段落番号における、「し、前記窓部は上部と下部とで前記外郭に固定し」を「された窓部を、外郭に固定させ」と訂正する。
　
１−２　訂正の適否
・訂正事項ａについて
　上記訂正事項ａについては、特許明細書の特許請求の範囲の請求項１中に記載された発明について、「穴部を有する外郭と、前記穴部に上部と下部とで嵌着する透明な窓部とを具備する」としていた構成を、「（ア）当該穴部の外周に、外郭の表面から一段凹状とした段部が設けられる、（イ）当該段部の下部に下嵌合穴が形成され、その下嵌合穴と窓部の下部に伸設した下突部を嵌合する、（ウ）当該穴部の上部の外郭に設けた上係合部に窓部の上部に伸設した上係合爪を係止する、及び（エ）当該窓部の略外周において窓部と段部とを水密的に接着する」構成に限定したものである。
　（１）の「前記穴部の外周に設けられ前記外郭の表面から一段凹状とした段部と、」と訂正した構成は、明細書添付の図１、図３、及び図４に図示されるとともに、明細書段落番号【００１７】に「穴部４４の外周には外郭４２表面から均一に一段凹状の段部４５が設けてある。」と記載されていることを根拠としている。
　（３）の「前記段部の下部に形成した下嵌合穴と前記窓部の下部に伸設した下突部を嵌合するとともに前記穴部の上部に設けた上係合部に前記窓部の上部に伸設した上係合爪を係止して」と訂正した構成は、明細書添付の図１、図３に図示されるとともに、明細書段落番号【００１７】に、「穴部４４上部の一部を凹状にして上係合部４６を形成してある。段部４５下部には外郭４２に食い切りで下嵌合穴４７が形成してある。」と記載され、また、明細書段落【００１８】に、「窓部４９下部には下嵌合穴４７に嵌合する下突部５０が伸設してあり、窓部４９上部には上係合部４６に係止する上係合爪５１が伸設してある。」と記載されていることを根拠としている。
　（４）の「嵌着し、かつ前記窓部の略外周において前記窓部と前記段部とを水密的に接着して」と訂正した事項は、明細書段落番号【００１９】に、「窓部４９の外郭４２側には略外周に若干の弾性を有した両面テープ５７が張り付けてあり外郭４２との水密性を確保する。」、及び段落番号【００２０】に、「このとき両面テープ５７は窓部４９と外郭４２に各々接着して水密的に窓部４９と外郭４２の段部４５とを接着することとなる。」と記載されていることを根拠としている。
　したがって、請求項１における上記訂正（１）、（３）、（４）は、いずれも特許請求の範囲の減縮を目的としたものであり、また、上記訂正（２）は明りょうでない記載の釈明を目的としたものである。
　また、上記訂正事項ａは、願書に添付した明細書又は図面に記載した事項の範囲内の訂正であり、実質上特許請求の範囲を拡張し又は変更するものでもない。
　
・訂正事項ｂについて
上記訂正事項ｂについては、特許明細書の特許請求の範囲の請求項２中に記載された発明について、「（ア）当該穴部の外周に、外郭の表面から一段凹状とした段部が設けられている、及び（イ）当該窓部の略外周において窓部と段部とを水密的に接着する」構成を具備するように限定したものであって、特許請求の範囲の減縮、及び、明りょうでない記載の釈明を目的とするものである。
　また、「前記穴部の外周に設けられ前記外郭の表面から一段凹状とした段部と、」と訂正した構成、「前記窓部の略外周において前記窓部と前記段部とを水密的に接着して」と訂正した構成は、ともに、請求項１と同様であり、その訂正の根拠については、上記訂正事項ａについての説明において示したとおりである。
　すなわち、上記訂正事項ｂは、願書に添付した明細書又は図面に記載した事項の範囲内の訂正であり、実質上特許請求の範囲を拡張し又は変更するものでもない。
　
・訂正事項ｃについて
　上記訂正事項ｃについては、特許明細書の特許請求の範囲の請求項３に記載の発明が、請求項１または２に記載の発明に従属する発明となるように限定するとともに、当該窓部の構成を、「保護シートを固着した窓部が、外郭に固定される構成を具備する」すなわち、「保護シートは窓部が外郭に固定される前に窓部に固着されている構成」に当該窓部の構成を限定するものである。従って、この訂正は特許請求の範囲の減縮を目的とするものである。
　また、「外面にフィルムで印刷面を形成し、前記印刷面に水位目盛を印刷した保護シートを固着して、構成された窓部を、外郭に固定させる」と訂正したのは、明細書添付の図１とともに、明細書段落番号【００１８】に記載されていた事項、「窓部４９の外面にはＰＥＴフィルム等で形成された印刷面５２が形成してあり、フィルターケース２８前面に下のぞき窓５３と、送水管３４前面に上のぞき窓５４が各々独立して透明に形成されている。他の部分には不透明な印刷部５５が設けてある。印刷部５５には水位目盛り５６等が印刷してある。」、及び明細書段落番号【００２０】に記載されていた事項、「窓部４９の組立は外郭４２の下嵌合穴４７に下突部５０を嵌合し、上係合部４６に上係合爪５１を上係合爪５１の若干の弾性を利用して嵌合させる。」に基づくものである。
　また、上記訂正事項ｃは、願書に添付した明細書又は図面に記載した事項の範囲内の訂正であり、実質上特許請求の範囲を拡張し又は変更するものでもない。
　
　以上のとおりであるから、上記訂正事項ａ〜ｃによる訂正は、特許法第１２０条の４第２項及び同条第３項において準用する特許法第１２６条第２項から第４項までの規定に適合するものである。
　また、他の訂正事項ｄによる訂正についても特許法第１２０条の４第２項及び同条第３項において準用する特許法第１２６条第２項から第４項までの規定に適合するので当該訂正を認める。
　
２．異議申立てについての判断
２−１　本件発明
　上記の通り、訂正は認められるから、本件の請求項１〜３に係る発明（以下、請求項１〜３に係る発明をそれぞれ「本件発明１」〜「本件発明３」という。）は、訂正された特許明細書の請求項１〜３に記載された次のとおりのものである。
　
「【請求項１】　上方を開口した有底状容器と、前記容器内の液体を加熱する加熱手段と、前記容器底部または底部近傍に一端を開口し他端を透明な送水管に連通した送水装置と、前記容器と送水装置と送水管とを内蔵する外郭と、前記外郭の前記送水管に対峙する位置に設けた縦長の穴部と、前記穴部の外周に設けられ前記外郭の表面から一段凹状とした段部と、前記穴部に嵌着する光学的に凸レンズ形状とした透明な窓部とを有し、前記段部の下部に形成した下嵌合穴と前記窓部の下部に伸設した下突部を嵌合するとともに前記穴部の上部に設けた上係合部に前記窓部の上部に伸設した上係合爪を係止して前記穴部に前記窓部を上部と下部とで嵌着し、かつ前記窓部の略外周において前記窓部と前記段部とを水密的に接着して構成した電気湯沸かし器。
【請求項２】　上方を開口した有底状容器と、前記容器内の液体を加熱する加熱手段と、前記容器底部または底部近傍に一端を開口し他端を透明な送水管に連通した送水装置と、前記容器と送水装置と送水管とを内蔵する外郭と、前記外郭の前記送水管に対峙する位置に設けた縦長の穴部と、前記穴部の外周に設けられ前記外郭の表面から一段凹状とした段部と、前記穴部に嵌着する光学的に凸レンズ形状とした透明な窓部とを有し、前記穴部の上部に上部係止部を設け下部に下部係止部を設けて各々に前記窓部に設けた上部爪と下部爪を係止して前記穴部に前記窓部を上部と下部とで嵌着するとともに、前記窓部の略外周において前記窓部と前記段部とを水密的に接着して構成した電気湯沸かし器。
【請求項３】　外面にフィルムで印刷面を形成し、前記印刷面に水位目盛を印刷した保護シートを固着して構成された窓部を、外郭に固定させる構成とした請求項１又は２に記載の電気湯沸かし器。」
　
２−２　取消理由通知で引用された刊行物に記載された発明
・刊行物１：特開平１１−９４５３号公報（異議申立人の提出した甲第１号証）
・刊行物２：実願昭６１−１５０８７１号（実開昭６３−５５９２５号）のマイクロフィルム（同甲第２号証）
・刊行物３：実願昭６１−７８３９４号（実開昭６２−１８９０３３号）のマイクロフィルム（同甲第６号証）
　
　刊行物１には、図面とともに以下の記載がある。
　
「図１において、２１は上方を開口したステンレス鋼で形成された容器であり、底面に加熱装置であるヒーター２２を備えている。２３はガラス管で形成された給湯路であり、容器２１下方に位置した給湯装置である電動ポンプ２４を介して、一端を容器２１の底部に連通し、他端を給湯口２５に連通して外方に開口している。・・・・・３０は容器２１等を収納するとともに、後方にヒンジ３１を備え、前方に係止部３２を備えた合成樹脂で形成された本体である。」（第３頁第３欄２６〜３９行）
　
「図４において、５０は本体３０に取り付けられた透明なフィルムで形成された窓部である。」（第３頁第４欄３１、３２行）
　
　上記記載及び図面を参照すると、本体の給湯路に対峙する位置に縦長の穴部が設けられていることは明らかであるから、刊行物１には、
上方を開口した容器と、前記容器内の液体を加熱するヒーターと、前記容器底部または底部近傍に一端を開口し他端を透明な給湯路に連通した電動ポンプと、前記容器と電動ポンプと給湯路とを内蔵する本体と、前記本体の前記給湯路に対峙する位置に設けた縦長の穴部と、前記穴部に設けられる、透明なフィルムで形成された窓部とを有した電気湯沸かし器が記載されている。
　
　刊行物２には、
外郭（本体１）の、送水管（液量表示管７）に対峙する位置に、縦長の穴部を設けるとともに、該穴部の外周に、外郭の裏面から一段凹状とした段部を設け、該穴部に外郭の裏面から透明な窓部（液量表示窓８）を嵌着した電気湯沸し器が図面とともに記載されている。
　
　刊行物３には、図面とともに以下の記載がある。
　
「パネル２１の全面中央部には、透明なカバーシート１１１が前記各表示窓２２、９７、９８および操作窓９６の各開設部にわたる全長範囲に貼り付けられている。・・・・また、透明カバーシート１１１は透明な窓板を兼用して一部品を削減することができるし、液量表示目盛１１２をも前記各種表示とともに印刷しておくことで液量表示も含めた各種表示が１つの部材に施すだけで足り、製品コストの低減を計れる。」（明細書第１８頁１４行〜第１９頁１５行）
  すなわち、刊行物３には、外郭の一部を形成するパネルに穴部を設け、該穴部に設ける透明な窓板を省略して、該穴部を覆って、フィルムで印刷面を形成し、前記印刷面に水位目盛を印刷した保護シートを固着することが記載されており、また、該穴部に透明な窓板を設けてその上から上記保護シートを固着する構成が示唆されている。
　
２−３　対比・判断
・本件発明１について
　本件発明１と刊行物１に記載された発明とを対比すると、刊行物１に記載された「容器２１」は、本件発明１〜３の「有底状容器」に相当し、以下同様に、「ヒータ２２」は「加熱手段」に、「給湯路２３」は「送水管」に、「電動ポンプ２４」は「送水装置」に、「本体３０」は「外郭」に、それぞれ相当するから、
両者は、
「上方を開口した有底状容器と、前記容器内の液体を加熱する加熱手段と、前記容器底部または底部近傍に一端を開口し他端を透明な送水管に連通した送水装置と、前記容器と送水装置と送水管とを内蔵する外郭と、前記外郭の前記送水管に対峙する位置に設けた縦長の穴部と、前記穴部に設けられる透明な窓部とを有した電気湯沸かし器」である点で一致し、次の点で相違する。
　
［相違点１］本件発明１では、前記穴部の外周に設けられ前記外郭の表面から一段凹状とした段部を有し、前記段部の下部に形成した下嵌合穴と前記窓部の下部に伸設した下突部を嵌合するとともに前記穴部の上部に設けた上係合部に前記窓部の上部に伸設した上係合爪を係止して前記穴部に前記窓部を上部と下部とで嵌着し、かつ前記窓部の略外周において前記窓部と前記段部とを水密的に接着しているのに対して、刊行物１には、透明なフィルムで形成された窓部を外郭（本体）に取り付ける旨記載されているだけで、それ以上の具体的な取付手段については記載されていない点。
［相違点２］本件発明１では、窓部を、光学的に凸レンズ形状としたのに対して、刊行物では、窓部を透明なフィルムで形成した点。
　
  上記相違点について検討すると、穴部の外周に設けられ、外郭の裏面から一段凹状とした段部を有し、前記穴部に窓部を嵌着したものは、刊行物２に記載されているものの、刊行物２、３いずれにも上記相違点１における本件発明１の構成について記載されておらず、示唆もされていない。
　そして、本件発明１は、上記構成を有することにより、窓部と外郭とを確実に嵌着し、送水管と窓部の位置関係を正確に固定できるという特許明細書（段落番号【００２８】）に記載された格別の作用効果を奏するものである。
　したがって、たとえ、上記相違点２の、窓部を、光学的に凸レンズ形状とすることが従来周知の技術手段であったとしても、本件発明１は、刊行物１〜３に記載された発明に基づいて当業者が容易に発明をすることができたとすることはできない。
　
・本件発明２について
　本件発明２と刊行物１に記載された発明とを対比すると、両者は、「上方を開口した有底状容器と、前記容器内の液体を加熱する加熱手段と、前記容器底部または底部近傍に一端を開口し他端を透明な送水管に連通した送水装置と、前記容器と送水装置と送水管とを内蔵する外郭と、前記外郭の前記送水管に対峙する位置に設けた縦長の穴部と、前記穴部に設けられる透明な窓部とを有した電気湯沸かし器」である点で一致し、上記相違点２で相違するとともに、更に次の点で相違する。
　
［相違点３］本件発明２では、前記穴部の外周に設けられ前記外郭の表面から一段凹状とした段部を有し、前記穴部の上部に上部係止部を設け下部に下部係止部を設けて各々に前記窓部に設けた上部爪と下部爪を係止して前記穴部に前記窓部を上部と下部とで嵌着するとともに、前記窓部の略外周において前記窓部と前記段部とを水密的に接着しているのに対して、刊行物１には、透明なフィルムで形成された窓部を外郭（本体）に取り付ける旨記載されているだけで、それ以上の具体的な取付手段については記載されていない点。
　
  上記相違点について検討すると、刊行物２、３いずれにも上記相違点３における本件発明２の構成について記載されておらず、示唆もされていない。
　そして、本件発明２は、上記構成を有することにより、本件発明１の奏する上記作用効果に加え、窓部を段部に嵌着する場合にセットする順序が任意でよく組み立て工程が自由にできていっそう簡便に組み立てることができるという特許明細書（段落番号【００３８】）に記載された格別の作用効果を奏するものである。
　したがって、本件発明２は、刊行物１〜３に記載された発明に基づいて当業者が容易に発明をすることができたとすることはできない。
　
・本件発明３について
　本件発明３は、本件発明１または２を更に限定するものであるから、本件発明１、２と同様に刊行物１〜３に記載された発明に基づいて当業者が容易に発明をすることができたとすることはできない。
　
　また、異議申立人の提出した他の証拠をみても、本件発明１〜３が、それらの証拠及び上記刊行物１〜３に基づいて当業者が容易に発明をすることができたとすることはできない。
　
３．むすび
　以上のとおりであるから、特許異議申立の理由及び証拠によっては、本件発明についての特許を取り消すことはできない。
　また、他に本件発明についての特許を取り消すべき理由を発見しない。
　よって、結論の通り決定する。　
【異議決定日】
平成１５年９月１１日（２００３．９．１１）
【訂正の要旨】
審決（決定）の【理由】欄参照。
（５４）【発明の名称】
電気湯沸かし器
（５７）【特許請求の範囲】
　【請求項１】　上方を開口した有底状容器と、前記容器内の液体を加熱する加熱手段と、前記容器底部または底部近傍に一端を開口し他端を透明な送水管に連通した送水装置と、前記容器と送水装置と送水管とを内蔵する外郭と、前記外郭の前記送水管に対峙する位置に設けた縦長の穴部と、
前記穴部の外周に設けられ前記外郭の表面から一段凹状とした段部と、
光学的に凸レンズ形状とした
前記段部の下部に形成した下嵌合穴と前記窓部の下部に伸設した下突部を嵌合するとともに前記穴部の上部に設けた上係合部に前記窓部の上部に伸設した上係合爪を係止して
し、かつ前記窓部の略外周において前記窓部と前記段部とを水密的に接着
　【請求項２】　
上方を開口した有底状容器と、前記容器内の液体を加熱する加熱手段と、前記容器底部または底部近傍に一端を開口し他端を透明な送水管に連通した送水装置と、前記容器と送水装置と送水管とを内蔵する外郭と、前記外郭の前記送水管に対峙する位置に設けた縦長の穴部と、前記穴部の外周に設けられ前記外郭の表面から一段凹状とした段部と、前記穴部に嵌着する光学的に凸レンズ形状とした透明な窓部とを有し、前記
前記
係止して前記穴部に前記窓部を上部と下部とで嵌着するとともに、前記窓部の略外周において前記窓部と前記段部とを水密的に接着
た電
　【請求項３】　
外
された窓部を、外郭に固定させる構成とした請求項１又は２に記載の
【発明の詳細な説明】
　【０００１】
　【発明の属する技術分野】
　本発明は主として一般家庭または事務所等で使用される電気湯沸かし器に関するものである。
　【０００２】
　【従来の技術】
　従来、この種の電気湯沸かし器は図５に示すようであった。略円筒状のステンレス鋼板等で形成された容器１の底部に、加熱手段であるヒーター２を密着させてある。送水装置である遠心ポンプ３は電動機４で駆動され、一端を容器１底部に連通し、他端を遠心ポンプ３に連通して容器１外周近傍に垂直に上方に伸設した透明なガラスの円筒で形成された送水管５に連通し、さらに転倒流出防止弁６を介して吐出口７に連通している。容器１と遠心ポンプ３と送水管５とは、厚さ０．３ｍｍの鋼板で円筒状に形成された外郭８に内蔵されている。外郭８の送水管５に対峙した位置には上下方向に長い縦長の穴部９を設けて、穴部９の外周を一段凹形状にして貼り付け部１０を形成してある。貼り付け部１０の凹形状に合わせて厚さ０．３ｍｍのＰＥＴ樹脂フィルム等で形成され水位目盛り等が印刷された透明窓１１が接着材１２を介して貼り付け部１０に水密的に張り付けてある。
　【０００３】
　以上のように構成された電気湯沸かし器において、容器１に水を入れると遠心ポンプ３を介して送水管５にも水が浸入し、容器１の水位と同じ位置の水位を示して止まる。外部からは透明窓１１を介して送水管５を見ることができ、容器１内の水量を知ることができる。
　【０００４】
　透明窓１１は送水管５近傍の本体内が見えないように出来るだけ透明部を送水管５の太さに近い幅にしてある。
　【０００５】
　また、送水管５と透明窓１１とは位置関係を直接的に規制するものがなく、送水管５の水位を確認する場合の透明窓１１の目盛りは誤差が大きく目安にしかならなかった。
　【０００６】
　【発明が解決しようとする課題】
　しかしながら、上記のような従来の構成では、送水管が直径１０ｍｍ程度の細さなので水位が見えにくいといった問題があった。また、送水管を太くすると送水管５内に溜まっている水が多くなり、遠心ポンプで容器内の湯を送水するときに湯より先に送水管内の水を送水してしまい、送水管内の水のために得られる湯の温度が低くなるといった問題があった。
　【０００７】
　本発明は上記従来の問題点を解決するもので、水位を確実にかつ正確に表示する電気湯沸かし器を提供することを目的とする。また、組み立て性の良い電気湯沸かし器を提供することを目的とする。
　【０００８】
　【課題を解決するための手段】
　上記目的を達成するために、本発明の一つの手段は、上方を開口した有底状容器と、前記容器内の液体を加熱する加熱手段と、前記容器底部または底部近傍に一端を開口し他端を透明な送水管に連通した送水装置と、前記容器と送水装置と送水管とを内蔵する外郭と、前記外郭の前記送水管に対峙する位置に設けた縦長の穴部と、
前記穴部の外周に設けられ前記外郭の表面から一段凹状とした段部と、
光学的に凸レンズ形状とした
前記段部の下部に形成した下嵌合穴と前記窓部の下部に伸設した下突部を嵌合するとともに前記穴部の上部に設けた上係合部に前記窓部の上部に伸設した上係合爪を係止して
し、かつ前記窓部の略外周において前記窓部と前記段部とを水密的に接着
窓部と外郭との水密性を確保するとともに、
　【０００９】
　【発明の実施の形態】
　本発明の請求項１に記載の発明は、上方を開口した有底状容器と、前記容器内の液体を加熱する加熱手段と、前記容器底部または底部近傍に一端を開口し他端を透明な送水管に連通した送水装置と、前記容器と送水装置と送水管とを内蔵する外郭と、前記外郭の前記送水管に対峙する位置に設けた縦長の穴部と、
前記穴部の外周に設けられ前記外郭の表面から一段凹状とした段部と、
光学的に凸レンズ形状とした
前記段部の下部に形成した下嵌合穴と前記窓部の下部に伸設した下突部を嵌合するとともに前記穴部の上部に設けた上係合部に前記窓部の上部に伸設した上係合爪を係止して
し、かつ前記窓部の略外周において前記窓部と前記段部とを水密的に接着
窓部と外郭との水密性を確保するとともに、
　【００１０】
　請求項２に記載の発明は、穴部の上部に上部係止部を設け下部に下方係止部を設けて各々に窓部に設けた上部爪と下部爪を
係止して前記穴部に前記窓部を上部と下部とで嵌着するとともに、前記窓部の略外周において前記窓部と前記段部とを水密的に接着
窓部と外郭との水密性を確保するとともに
　【００１１】
　請求項３に記載の発明は、
特に、
された窓部を、外郭に固定させ
　【００１２】
　【実施例】
　（実施例１）
　以下に本発明の第１の実施例について、図１〜図３を参照しながら説明する。２１は略円筒状に形成され底部に流出口２４を有したステンレス鋼板等で形成された容器である。容器２１はその上部開口部全集に設けたフランジ２２を上枠２３に係止してある。２５は容器２１下面に固定された加熱手段である扁平なヒーターである。容器２１下方には流出口２４に一端を連通した送水装置である遠心ポンプ２６が位置し、他端をシリコンゴム等で形成されたＳ字状の接続パッキン２７を介してポリサルフォン樹脂等の透明樹脂で形成された略円筒状のフィルターケース２８の下部に連通している。
　【００１３】
　２９はフィルターケース２８上部に嵌合載置された凹状のケースカバーであり、ケースカバー２９には複数のスリット３０が設けてあり、フィルターケース２８内と上方を連通している。３１はケースカバー２９を載置したフィルターケース２８の上部を覆い水密的にシールするケースパッキンであり、中央に嵌合穴３２が設けてある。
　【００１４】
　３３はフィルターケース２８に内蔵された球状の麦飯石であり、フィルターケース２８容積の約半分の量が収容されている。
　【００１５】
　３４は容器２１近傍に鉛直に伸びた円筒状の送水管であり、透明なガラス管で形成されている。送水管３４の容器２１側には送水管３４の長手方向に対して約５度から３０度の角度を持った第１の印刷３５である黒色の縞模様が印刷してある。さらに第１の印刷３５の上には第２の印刷３６である白色の塗料が塗布してある。第１の印刷３５および第２の印刷３６の範囲は、送水管３４の容器２１側の約１５０度である。特に第２の印刷３６により送水管３４を介して容器２１は見えないこととなる。
　【００１６】
　３７は連通パッキン３８を介して送水管３４の上端と連通する吐出部である。吐出部３７は一端を送水管３４に連通しながら、通常は送水管３４を容器２１上部に連通して開口している。吐出部３７はバネ３９で上方に付勢された操作つまみ４０と連動している。操作つまみ４０を押すと、容器２１への開口を閉塞して送水管３４と吐出口４１を連通すると同時に、吐出部３７の開口面積を大きくする。押す力を小さくすると、バネ３９の反発力により操作つまみ４０が上昇して送水管３４と吐出口４１の間の吐出部３７の開口面積は小さくなり、やがて送水管３４と容器２１上部が連通する。つまり、湯の給湯については吐出部３７の開口面積に比例して吐出口４１から吐出する湯の勢いが制御されることとなる。
　【００１７】
　４２は容器２１と送水管３４を内蔵したポリプロピレン樹脂等で形成され、上方を開口して外郭端部４３を形成した外郭である。外郭４２の固定は前記容器２１の底部にねじ（図示せず）で螺着して上枠２３に係止されたフランジ部２２を下方向に引っ張ることで外郭端部４３を上枠２３に押接して固定される。外郭４２の組み立てには、一般に容器２１下方向から容器２１上方向に容器２１に沿ってセットする。外郭４２には送水管３４を挟んで容器２１に対峙する位置に縦長の穴部４４が設けてある。穴部４４の外周には外郭４２表面から均一に一段凹状の段部４５が設けてある。穴部４４上部の一部を凹状にして上係合部４６を形成してある。段部４５下部には外郭４２に食い切りで下嵌合穴４７が形成してある。４８は外郭４２の穴部４４内方に伸設された一対の上下方向に平行な位置決めリブで段部４５裏面近傍に位置する。
　【００１８】
　４９は段部４５と相似形状で段部４５に嵌合する透明なアクリル樹脂等で形成された略剛体である窓部である。窓部４９は光学的に凸レンズ形状であり、外方から窓部４９を介して本体内を見ると内部が拡大されて見える。窓部４９下部には下嵌合穴４７に嵌合する下突部５０が伸設してあり、窓部４９上部には上係合部４６に係止する上係合爪５１が伸設してある。窓部４９の外面にはＰＥＴフィルム等で形成された印刷面５２が形成してあり、フィルターケース２８前面に下のぞき窓５３と、送水管３４前面に上のぞき窓５４が各々独立して透明に形成されている。他の部分には不透明な印刷部５５が設けてある。印刷部５５には水位目盛り５６等が印刷してある。
　【００１９】
　窓部４９の外郭４２側には略外周に若干の弾性を有した両面テープ５７が張り付けてあり外郭４２との水密性を確保する。
　【００２０】
　窓部４９の組立は外郭４２の下嵌合穴４７に下突部５０を嵌合し、上係合部４６に上係合爪５１を上係合爪５１の若干の弾性を利用して嵌合させる。このとき両面テープ５７は窓部４９と外郭４２に各々接着して水密的に窓部４９と外郭４２の段部４５とを接着することとなる。
　【００２１】
　５８はケースパッキン３１上に備えられて中央に貫通穴５９を形成し、左右に係合切り欠き６０が設けてある保持板であり、外周の保持爪６１でケースパッキン３１に回転方向に固定されるとともに、送水管３４が貫通穴５９を貫通してケースパッキン３１の嵌合穴３２に水密的に嵌合する。６２は送水管３４上方に一対の爪６３で主体的に嵌着し保持板５８の係合切り欠き６０に係合して位置を保持される化粧板であり、印刷鋼板等で形成されている。化粧板６２の上下方向の位置決めは接続パッキン２７と保持板５８に挟まれて位置決めされる。化粧板６２の左右方向の位置決めは外郭４２の位置決めリブ４８に約０．５ｍｍ程度のわずかな隙間を維持して化粧板６２が位置するように形状と位置関係を設定しておく。
　【００２２】
　化粧板６２の位置決めは外郭４２を上枠２３にセットするときに同時に位置決めされる。すなわち、上枠２３にセットされた容器２１に沿って外郭４２を下方向から上方向にセットするとき位置決めリブ４８が化粧板６２の外側を挟むようにガイドしながらセットされるので外郭４２が上枠２３にセットされた時点で同時に化粧板６２も外郭４２の位置決めリブ４８により水平方向の位置決めがされることとなる。
　【００２３】
　６４は容器２１上方を閉じる蓋であり、容器２１内に給水するときは後方のヒンジ部６５を中心にヒンジ部６５と反対に位置するロック部６６の嵌着を操作して開閉して行う。
　【００２４】
　６７は制御回路であり、ヒーター２５への通電や保温制御や給湯時の遠心ポンプ２６駆動等の電気的制御を行う。
　【００２５】
　上記構成において、ロック部６６を操作して蓋６４をヒンジ部６５を中心にして回転させて開き容器２１に水を給水する。制御回路６７がヒーター２５への通電を制御して湯を沸かす。湯沸かしの途中で制御回路６７は遠心ポンプ２６を駆動する。容器２１内の水は送水管３４を通って吐出部を介してやがて送水管３４と連通している容器２１上部に還流する。
　【００２６】
　このときフィルターケース２８内の麦飯石３３は還流する湯によって撹拌されて、湯に接して湯に含まれる金属イオン等を吸着する。この様子は窓部４９の下のぞき窓５３を介して見ることができる。やがて湯が沸騰すると、制御回路６７は湯を適温に保温する。湯を所望のときは遠心ポンプ２６を駆動し、同時に操作つまみ４０を押して吐出部３７の開口面積を調整しながら吐出口４１より湯を給湯する。必要量の湯が得られると操作つまみ４０を離す。操作つまみ４０はバネ３９の付勢力により上方に押し返されて元の位置に戻る。遠心ポンプ２６が停止して給湯が完了する。水垢等による麦飯石３３の汚れは下のぞき窓５３を介して確認することができる。
　【００２７】
　送水管３４内の水位は容器２１内の水位と同じ水位を維持しているから、容器２１内の水量を確認するには外方から送水管３４の水位を確認すれば良い。容器２１内の水量は窓部４９の印刷部５５に印刷された水位目盛り５６と送水管３４の水位から知ることができる。送水管３４内に水が有る部分と水が無い部分では送水管３４と水との合成屈折率と送水管３４のみの屈折率が異なるために、第１の印刷３５の見え方が異なる。水の無い上部は第１の印刷３５の縞模様が比較的小さく見え、水の有る下部は第１印刷３５の縞模様が大きく見えることとなり、容器２１内の水量が分かる。また、窓部４９には凸レンズ効果があるのでより水位が見やすい。さらに、下突部５０が下嵌合穴４７に嵌合されて上係合爪５１が上係合部４６に嵌着されて窓部４９が外郭４２の段部４５に正確に嵌合しているので、水位と水位目盛り５６が正確に一致し、容器２１内の水量を一段と正確に知ることができる。
　【００２８】
　以上のように本実施例によれば、窓部４９の凸レンズ効果で水の有無の様子が拡大されるので見やすくなる。さらに、窓部４９は外郭４２に長手方向に第１に下部の下嵌合穴４７には下突部５０を嵌合し、第２に上部の上係合部４６に上係合爪５１を嵌着して窓部４９と外郭４２とを確実に嵌着し、送水管３４と窓部４９の位置関係を正確に固定してレンズ効果で拡大して見える大きさを均一に維持する。
　【００２９】
　また、第２の印刷３６により第１の印刷３５の縞模様の間から本体内の内蔵物が見えないのでデザイン性が向上する。
　【００３０】
　また、第１の印刷３５と第２の印刷３６の色を調整してコントラストを調整することで送水管３４内の水位の見やすさを調整することが出来る。
　【００３１】
　また、化粧板６２を送水管３４に主体的に嵌着することで化粧板６２の位置決めが送水管３４により決まり、シリコンゴム等で形成されている接続パッキン２７とケースパッキン３１に不要な応力を加えることなく接続パッキン２７とケースパッキン３１の耐久性が向上する。
　【００３２】
　また、化粧板６２と送水管３４以外の部品を追加することなく簡便に位置を決めることが出来る。
　【００３３】
　また、送水管３４を基準に化粧板６２の位置決めをするために送水管３４と化粧板６２の位置ずれを簡便に防止することができる。
　【００３４】
　さらに、外郭４２の位置決めリブ４８で化粧板６２の水平方向の位置決めが組み立てと同時に完了するので化粧板６２と外郭４２の位置決め作業をすることなく正確にかつ確実に位置決めすることができる。
　【００３５】
　（実施例２）
　以下に本発明の第２の実施例について、図１から図５に基づいて説明する。容器２１、フランジ部２２、上枠２３、流出口２４、ヒーター２５、遠心ポンプ２６、接続パッキン２７、フィルターケース２８、ケースカバー２９、スリット３０、ケースパッキン３１、嵌合穴３２、麦飯石３３、送水管３４、第１の印刷３５、第２の印刷３６、吐出部３７、連通パッキン３８、バネ３９、操作つまみ４０、吐出口４１、外郭４２、外郭端部４３、穴部４４、段部４５、上係合部４６、位置決めリブ４８、窓部４９、上係合爪５１、印刷面５２、下のぞき窓５３、上のぞき窓５４、印刷部５５、水位目盛り５６、両面テープ５７、保持板５８、貫通穴５９、係合切り欠き６０、保持爪６１、化粧板６２、爪６３、蓋６４、ヒンジ部６５、ロック部６６、制御回路６７は第１の実施例と同じ形状で同じ機能であるので同一値衣装と同一番号を使用する。
　【００３６】
　７１は窓部４９の下部に設けた下係合爪であり、外郭の窓部４９下部に設けた凹状の下係合部７２に嵌着されて窓部４９を外郭４２の段部４５に固定する。
　【００３７】
　上記構成において、窓部４９の外郭４２への固定は最初に下係合部７２に下係合爪７１を係止して、次に上係合部４６に上係合爪５１を嵌着して窓部４９を段部４５に嵌着しても良いし、逆に最初に上係合部４６に上係合爪５１を係止して、次に下係合部７２にして係合爪７１を嵌着しても良い。
　【００３８】
　以上のように本実施例によれば、窓部４９を段部４５に嵌着する場合にセットする順序が任意でよく組み立て工程が自由にできていっそう簡便に組み立ることができる。
　【００３９】
　なお、第１の実施例ではフィルターケース２８に麦飯石３３を収納したが、ミネラル材を収納しても良く、また活性炭等を収納しても良い。要は浄水効果のある材料を収納して還流する湯に触れさせることである。
　【００４０】
　また、第１の実施例では位置決めリブ４８と化粧板６２の位置関係を化粧板６２の外側に位置決めリブ４８が位置するようにしたが、逆に化粧板６２で位置決めリブ４８を挟む位置関係にしてもよく、要は外郭４２のセット時に水平方向の位置決めを化粧板６２と位置決めリブ４８とで行えればよい。
　【００４１】
　また、第２の実施例では上係合爪５１と下係合爪７１を爪形状としたが、樹脂の若干の弾性を利用した係合構成であればよい。
　【００４２】
　【発明の効果】
　以上のように本発明の電気湯沸かし器は、請求項１の構成にすることにより、
窓部と外郭との水密的性を確保するとともに、
　【００４３】
　また、請求項２の構成にすることにより、組み立て時に上部からでも下部からでも組み立てることができて簡便な組み立てができる電気湯沸かし器を提供することができる。
　【００４４】
　また、請求項３の構成にすることにより、窓部を傷付けることなく常に透明で見易い窓部を備えた電気湯沸し器を提供することができる。
【図面の簡単な説明】
　【図１】
　本発明の第１の実施例を示す電気湯沸かし器の部分組み立て斜視図
　【図２】
　本発明の第１の実施例を示す電気湯沸かし器の断面図
　【図３】
　本発明の第１の実施例を示す電気湯沸かし器の部分断面図
　【図４】
　本発明の第２の実施例を示す電気湯沸かし器の部分断面図
　【図５】
　従来の実施例を示す電気湯沸かし器の断面図
　【符号の説明】
　２１　容器
　２５　ヒーター（加熱手段）
　２６　遠心ポンプ（送水手段）
　３４　送水管
　４２　外郭
　４４　穴部
　４９　窓部